(57)【要約】  モバイル端末は、ＧＳＭトランシーバと、ＵＭＴＳトランシーバと、コントローラとを備える。上記ＧＳＭトランシーバはＧＳＭ無線通信インタフェースを介して通信を行う。上記ＵＭＴＳトランシーバはＵＭＴＳ無線通信インタフェースを介して通信を行う。コントローラは、ＵＭＴＳ無線ネットワークコントローラが提供するＵＭＴＳセルを選択し、かつ、当該ＵＭＴＳセルに登録するように構成される。この構成によって、上記選択したＵＭＴＳセルの通信特性のスナップショットを定義するＵＭＴＳセルデータの格納と、ＧＳＭ基地局コントローラが送信する着信ページング要求に対して、ＧＳＭトランシーバを介してＧＳＭ制御チャネルを監視することによって、上記選択したＵＭＴＳセルに登録したことに対する応答と、ＵＭＴＳ無線ネットワークコントローラとＵＭＴＳコアネットワークとを経由してＵＭＴＳトランシーバ及び上記選択したＵＭＴＳセルを介して対応する呼の設定時にモバイル端末を支援するための上記格納したＵＭＴＳセルデータを用いることによって、ＧＳＭ基地局コントローラからのページング要求の受信に対する応答とが行われる。
2012506169.tif 000002
【特許請求の範囲】
【請求項１】
モバイル端末であって、
ＧＳＭ無線通信インタフェースを介して通信を行うＧＳＭトランシーバと、
ＵＭＴＳ無線通信インタフェースを介して通信を行うＵＭＴＳトランシーバと、
ＵＭＴＳ無線ネットワークコントローラによって提供されるＵＭＴＳセルを選択して登録し、前記選択したＵＭＴＳセルにおける通信特性のスナップショットを定義するＵＭＴＳセルデータを格納し、ＧＳＭ基地局コントローラによって送信された着信ページング要求に対して、前記ＧＳＭトランシーバを介してＧＳＭ制御チャネルを監視することによって前記選択したＵＭＴＳセルへ登録したことに対して応答し、前記ＵＭＴＳ無線ネットワークコントローラ及びＵＭＴＳコアネットワークを経由して前記ＵＭＴＳトランシーバ及び前記選択したＵＭＴＳセルを介して対応する呼の設定を支援する前記格納したＵＭＴＳセルデータを用いることによって前記ＧＳＭ基地局コントローラからの前記着信ページング要求の受信に応答するコントローラと
を備えることを特徴とするモバイル端末。
【請求項２】
前記コントローラは、さらに、
ＧＳＭ基地局コントローラによって提供されるＧＳＭセルを選択して登録し、前記着信ページング要求に対する前記ＧＳＭ基地局コントローラの前記ＧＳＭ制御チャネルを監視することによって前記選択したＵＭＴＳセルへの登録の完了に応答することを特徴とする請求項１に記載のモバイル端末。
【請求項３】
前記コントローラは、さらに、
前記ＵＭＴＳ無線ネットワークコントローラによって送信された着信ページング要求に対して前記選択したＵＭＴＳセルの制御チャネルの監視を少なくとも一時的に中断し、かつ、前記ＧＳＭ基地局コントローラによって送信された前記着信ページング要求に対して前記ＧＳＭトランシーバを介して前記ＧＳＭ制御チャネルの監視を開始することによって、前記モバイル端末のバッテリ電源がバッテリの蓄積量を維持するための閾値より少ないことを示す信号に応答することを特徴とする請求項１に記載のモバイル端末。
【請求項４】
前記コントローラは、さらに、
前記格納したＵＭＴＳセルデータの少なくとも一部として、前記選択したＵＭＴＳセルの制御チャネルに対する周波数データを格納し、
前記格納した周波数データによって定義された前記制御チャネル周波数で呼設定メッセージを送信する前記ＵＭＴＳトランシーバを制御することによって前記ＧＳＭ基地局コントローラからの前記着信ページング要求の受信に応答することを特徴とする請求項１に記載のモバイル端末。
【請求項５】
前記コントローラは、さらに、
前記格納したＵＭＴＳセルデータの一部として、前記選択したＵＭＴＳセルの制御チャネルに対する同期データを格納し、
前記格納した同期データを用いて前記選択したＵＭＴＳセルの前記制御チャネルへの前記呼設定メッセージの送信を同期させる前記ＵＭＴＳトランシーバを制御することによって前記ＧＳＭ基地局コントローラからの前記着信ページング要求の受信に応答することを特徴とする請求項４に記載のモバイル端末。
【請求項６】
前記コントローラは、さらに、
前記格納したＵＭＴＳセルデータの少なくとも一部として、前記選択したＵＭＴＳセルの通信チャネルに対するスクランブルコードを識別するデータを取得して、格納し、
送信する際に前記着信ページング要求をスクランブルする前記格納したスクランブルコードを用いて前記選択したＵＭＴＳセルの前記制御チャネルを経由して呼設定メッセージを送信することによって前記ＧＳＭ基地局コントローラからの前記着信ページング要求の受信に応答することを特徴とする請求項１に記載のモバイル端末。
【請求項７】
前記コントローラは、さらに、
前記モバイル端末へ前記ＵＭＴＳコアネットワークによって割り当てられている一時的な識別コードを前記ＵＭＴＳトランシーバを介して受信し、
前記格納したＵＭＴＳセルデータの少なくとも一部として前記一時的な識別コードを格納し、
前記モバイル端末からの前記格納した一時的な識別コードを含む呼設定メッセージを前記ＵＭＴＳ無線ネットワークコントローラへ送信することによって前記ＧＳＭ基地局コントローラからの前記着信ページング要求の受信に応答することを特徴とする請求項１に記載のモバイル端末。
【請求項８】
前記コントローラは、さらに、
前記格納したＵＭＴＳセルデータの少なくとも一部として、前記選択したＵＭＴＳセルの制御チャネルに対する周波数データを格納し、
前記格納した周波数データによって定義される前記制御チャネル周波数で呼設定メッセージを送信するように前記ＵＭＴＳトランシーバを制御することによって前記ＧＳＭ基地局コントローラからの前記着信ページング要求の受信に応答し、
前記コントローラは、さらに、
前記格納したＵＭＴＳセルデータの少なくとも一部として、前記選択したＵＭＴＳセルの制御チャネルに対する同期データを識別するデータを格納し、
前記格納した同期データを用いて前記選択したＵＭＴＳセルの前記制御チャネルへの呼設定メッセージの送信を同期させるように前記ＵＭＴＳトランシーバを制御することによって前記ＧＳＭ基地局コントローラからの前記着信ページング要求の受信に応答し、
前記コントローラは、さらに、
前記格納したＵＭＴＳセルデータの少なくとも一部として、前記選択したＵＭＴＳセルの制御チャネルに対するスクランブルコードを識別するデータを格納し、
送信時の前記着信ページング要求をスクランブルするために前記格納したスクランブルコードを用いて前記選択したＵＭＴＳセルの前記制御チャネルを経由して呼設定メッセージを送信することによって前記ＧＳＭ基地局コントローラからの前記着信ページング要求の受信に応答し、
前記コントローラは、さらに、
前記ＵＭＴＳコアネットワークによって前記モバイル端末に割り当てられている一時的な識別コードを前記ＵＭＴＳトランシーバを介して受信し、
前記格納したＵＭＴＳセルデータの少なくとも一部として前記一時的な識別コードを格納し、前記モバイル端末に対する前記格納した一時的な識別コードを含む呼設定メッセージを前記ＵＭＴＳ無線ネットワークコントローラへ送信することによって前記ＧＳＭ基地局コントローラからの前記着信ページング要求の受信に応答することを特徴とする請求項１に記載のモバイル端末。
【請求項９】
前記コントローラは、さらに、
前記選択したＵＭＴＳセルへの登録を完了することに応じて、前記ＵＭＴＳトランシーバの少なくとも一部で電力供給を停止し、
前記ＧＳＭ基地局コントローラからの前記着信ページング要求の受信に応じて、前記ＵＭＴＳトランシーバの電力供給を停止した部分に電力を供給することを特徴とする請求項１に記載のモバイル端末。
【請求項１０】
前記コントローラは、さらに、
更新した前記ＵＭＴＳセルデータを取得して格納することによって、前記ＧＳＭ基地局コントローラから受信した着信ページング要求がない間に、前記選択したＵＭＴＳセルへの登録が完了した後に閾値時間の満了に応答することを特徴とする請求項１に記載のモバイル端末。
【請求項１１】
前記コントローラは、さらに、
前記更新した前記ＵＭＴＳセルデータを格納した一部として前記選択したＵＭＴＳセルの前記制御チャネルに対する更新した同期データを取得して格納することによって、前記ＧＳＭ基地局コントローラから受信した着信ページング要求がない間に、前記選択したＵＭＴＳセルへの登録が完了した後に閾値時間の満了に応答することを特徴とする請求項１０に記載のモバイル端末。
【請求項１２】
前記コントローラは、さらに、
更新したＵＭＴＳセルデータを取得して格納することによって前記ＧＳＭトランシーバと前記基地局コントローラとの間のタイミング同期時の少なくとも閾値の変化の観察に応答することを特徴とする請求項１に記載のモバイル端末。
【請求項１３】
前記コントローラは、さらに、
前記更新した前記ＵＭＴＳセルデータを格納した一部として前記選択したＵＭＴＳセルの前記制御チャネルに対する更新した同期データを取得して格納することによって前記ＧＳＭトランシーバと前記基地局コントローラとの間のタイミング同期時の少なくとも閾値の変化の観察に応答することを特徴とする請求項１２に記載のモバイル端末。
【請求項１４】
前記コントローラは、さらに、
更新したＵＭＴＳセルデータを取得して格納することによってＧＳＭセルの再選択処理の開始に応答することを特徴とする請求項１に記載のモバイル端末。
【請求項１５】
前記コントローラは、さらに、
更新したＵＭＴＳセルデータを取得して格納することによってユーザによりトリガされるアクティブ信号の検知に応答することを特徴とする請求項１に記載のモバイル端末。
【請求項１６】
前記コントローラは、さらに、
前記モバイル端末の筐体の一部が開いていることの検知、前記モバイル端末における圧力スイッチの起動の検知、前記モバイル端末のタッチパネル式ディスプレイにおけるユーザによる接触の検知、及び、ユーザが呼の開始を準備する際の前記更新したＵＭＴＳセルデータを取得して格納することによって前記モバイル端末の移動の検知の少なくとも１つに応答することを特徴とする請求項１５に記載のモバイル端末。
【請求項１７】
前記コントローラは、さらに、
前記モバイル端末の筐体の一部が開いていることの検知、前記モバイル端末における圧力スイッチの起動の検知、前記モバイル端末のタッチパネル式ディスプレイにおけるユーザによる接触の検知、及び、ユーザが呼の開始を準備する際の前記選択したＵＭＴＳセルのＵＭＴＳ制御チャネルの監視時に支援するために前記格納したＵＭＴＳセルデータを用いて前記モバイル端末の移動の検知の少なくとも１つに応答することを特徴とする請求項１５に記載のモバイル端末。
【請求項１８】
前記コントローラは、さらに、
ＧＳＭ基地局コントローラからの着信ページング要求に対するＧＳＭ制御チャネルを監視する旨を、前記ＵＭＴＳトランシーバを介して前記ＵＭＴＳコアネットワークに通知することによって、前記選択したＵＭＴＳセルへの登録の完了に応答することを特徴とする請求項１に記載のモバイル端末。
【請求項１９】
モバイル端末が任意の着信ページング要求に対するＧＳＭ基地局コントローラからＧＳＭ制御チャネルを監視することを示す通知であって、ＵＭＴＳ無線ネットワークコントローラを経由したコアネットワークで前記モバイル端末からの通知を受信するステップと、
前記コアネットワークによって受信し、かつ、前記モバイル端末への着信ページング要求を、前記モバイル端末への通信に対する前記ＧＳＭ基地局コントローラへ転送することによって前記通知に応答するステップと、
前記ＵＭＴＳ無線ネットワークコントローラを介して前記モバイル端末からのページング応答を受信するステップと、
前記コアネットワークと前記ＵＭＴＳ無線ネットワークコントローラとを経由して、前記ページング応答に応じて前記モバイル端末との呼を確立するステップと
を含むことを特徴とする方法。
【請求項２０】
コアネットワークであって、
モバイル端末が任意の着信ページング要求に対するＧＳＭ基地局コントローラからＧＳＭ制御チャネルを監視することを示す通知であって、ＵＭＴＳ無線ネットワークコントローラを経由して前記モバイル端末からの通知を受信し、前記モバイル端末への着信ページング要求を、前記モバイル端末への通信に対する前記ＧＳＭ基地局コントローラへ転送することによって前記通知に応答し、前記ＵＭＴＳ無線ネットワークコントローラを経由して、前記モバイル端末との呼を確立することによって、前記ＵＭＴＳ無線ネットワークコントローラを経由して前記モバイル端末からのページング応答の受信に応答するＵＭＴＳモバイル交換センタを備えることを特徴とするコアネットワーク。
【発明の詳細な説明】
【技術分野】
【０００１】
本発明は無線通信端末に関し、さらに詳細には、２以上の無線アクセス技術通信インタフェースを介して通信が可能なマルチモード無線端末に関するものである。
【背景技術】
【０００２】
移動通信システム用グローバルシステム（ＧＳＭ）及び第３世代汎用移動電話サービス（ＵＭＴＳ）システムと通信を行うことができるマルチモード無線端末が開発されてきた。いくつかの地理上のエリアにおいて、上記無線通信システムの双方が無線端末により利用可能であってもよい。
【０００３】
ＵＭＴＳシステムの開発における１つの関心事として、システム間セルの再選択及びＧＳＭからＵＭＴＳへのハンドオーバ並びにこの逆方向のハンドオーバを許可する処理の定義があった。ＵＭＴＳシステムの初期の開発中においては、ＵＭＴＳシステムが既存のＧＳＭシステムと相互動作を行うことが重要である。というのは、例えば、所定の有効電力レベルの場合、２１００ＭＨｚでのＵＭＴＳ送信と比べると、９００ＭＨｚでのＧＳＭ送信の方が最新の建築材料を貫通するのにより好適な能力を示すことができるからである。トラフィック負荷のバランスを得るためなどのような上記理由及びその他の理由のために、ＧＳＭとＵＭＴＳ間でのハンドオーバが望ましい場合がある。
【発明の概要】
【発明が解決しようとする課題】
【０００４】
ＧＳＭからＵＭＴＳへのハンドオーバの準備を目的として、移動局は、ＧＳＭトラフィックチャネル（ＴＣＨ）で接続中の呼に対応する専用のトラフィックフローに同時に関与しながら、ハンドオーバに先行してＵＭＴＳターゲットセルにおける同期を取得する必要がある。しかし、ＵＭＴＳセルとの同期取得ステップに関連づけられた動作が容認できないほど長くかかる場合があり、かつ、ＧＳＭ回線交換音声通話中に通常利用可能な時間量（すなわちスケジュール可能な時間量）を上回る場合があって、これがハンドオーバを厄介な問題にしている。
【０００５】
例えば、ＵＭＴＳにおける同期の取得を目的として、１０〜１２個の未使用のＧＳＭアイドルフレームで表される典型的な時間が理想的条件の下で必要となる場合がある。すべてのアイドルフレームが未使用であると仮定すると、実際の必要時間は１．４４秒になると考えられる。しかし、ＵＭＴＳとの同期に必要な時間は、ベースチャネル干渉レベルに対するチップ当たりのエネルギ比率として表現される可変量によって大きく影響を受け、高速移動する移動局及びベースチャネル干渉レベルに対するチップ当たりのエネルギ不足が生じた場合、理想的条件の下で、１．４４秒から５〜１６秒の間の時間範囲になることが考えられる。この依存状態は、ＧＳＭアイドルフレームが実際に未使用であり、したがってＵＭＴＳの同期手順により利用可能でなければならないという事実によってさらに複雑なものになる。したがって、現実のＧＳＭ／ＵＭＴＳ稼働環境において必要な実際の時間は、約１．４４秒〜約１６秒の範囲になると考えられる。
【０００６】
このため、ＧＳＭからＵＭＴＳへの現在接続中の呼／データ転送のハンドオーバが１６秒間まで呼／データ転送を中断する可能性があり、このような中断はいくつかのアプリケーションにとっては容認できないものになると考えられる。
【課題を解決するための手段】
【０００７】
本発明のいくつかの実施形態では、モバイル端末がＧＳＭトランシーバと、ＵＭＴＳトランシーバと、コントローラとを含む。上記ＧＳＭトランシーバはＧＳＭ無線通信インタフェースを介して通信を行うように構成される。上記ＵＭＴＳトランシーバはＵＭＴＳ無線通信インタフェースを介して通信を行うように構成される。上記コントローラは、ＵＭＴＳ無線ネットワークコントローラにより提供されるＵＭＴＳセルを選択し、かつ、該ＵＭＴＳセルに登録するように構成される。この構成によって、上記選択したＵＭＴＳセルの通信特性のスナップショットを定義するＵＭＴＳセルデータの格納と、ＧＳＭ基地局コントローラにより送信される着信ページング要求に対して、ＧＳＭトランシーバを介してＧＳＭ制御チャネルを監視することによって、上記選択したＵＭＴＳセルに登録したことに対する応答と、ＵＭＴＳ無線ネットワークコントローラとＵＭＴＳコアネットワークとを経由してＵＭＴＳトランシーバ及び上記選択したＵＭＴＳセルを介して対応する呼の設定時に支援するための上記格納したＵＭＴＳセルデータを用いることによって、ＧＳＭ基地局コントローラからのページング要求の受信に対する応答と、が行われる。
【０００８】
いくつかの別の実施形態では、上記コントローラは、ＧＳＭ基地局コントローラにより提供されるＧＳＭセルを選択し、かつ、このＧＳＭセルに登録することによって、上記選択したＵＭＴＳセルへの登録を完了し、上記ページング要求に対する、上記ＧＳＭ基地局コントローラによるＧＳＭ制御チャネルを監視するように応答してもよい。
【０００９】
上記コントローラは、上記ＵＭＴＳ無線ネットワークコントローラによって送信されるページング要求に対する監視であって、上記選択したＵＭＴＳセルの制御チャネルの監視を少なくとも一時的に中断し、かつ、上記ＧＳＭ基地局コントローラにより送信される上記ページング要求に対する監視であって、上記ＧＳＭトランシーバを介する上記ＧＳＭ制御チャネルの監視を開始することによって、上記モバイル端末のバッテリ電源がバッテリの蓄積量を維持するための閾値より少なくなっていることを示す信号に応答するようにさらに構成されてもよい。
【００１０】
上記コントローラは、上記格納したＵＭＴＳセルデータの少なくとも一部として、上記選択したＵＭＴＳセルの制御チャネル用周波数データを格納するようにさらに構成されてもよく、かつ、上記ＵＭＴＳトランシーバを制御することによって、上記ＧＳＭ基地局コントローラからの上記ページング要求の受信に応答して、上記格納した周波数データにより定義された制御チャネル周波数で呼設定メッセージを送信するようにさらに構成されてもよい。
【００１１】
上記コントローラは、上記格納したＵＭＴＳセルデータの一部として、上記選択したＵＭＴＳセルの制御チャネル用同期データを取得し、かつ、この同期データを格納するようにさらに構成されると共に、上記ＵＭＴＳトランシーバを制御することによって上記ＧＳＭ基地局コントローラからの上記ページング要求の受信に応答して、上記格納した同期データを用いて、上記選択したＵＭＴＳセルの制御チャネルへの上記ＵＭＴＳトランシーバによる上記呼設定メッセージの送信を同期させるようにさらに構成されてもよい。
【００１２】
上記コントローラは、上記格納したＵＭＴＳセルデータの少なくとも一部として、上記選択したＵＭＴＳセルの通信チャネル用スクランブルコードを特定するデータを取得し、かつ、このデータを格納するようにさらに構成されると共に、ページング要求の送信時に該ページング要求をスクランブルするために、上記格納したスクランブルコードデータを用いて上記選択したＵＭＴＳセルの制御チャネルを経由して呼設定メッセージを送信することによって、上記ＧＳＭ基地局コントローラからの上記ページング要求の受信に応答するようにさらに構成されてもよい。
【００１３】
上記コントローラは、上記ＵＭＴＳコアネットワークによってモバイル端末に割り当てられた一時的な識別コードを上記ＵＭＴＳトランシーバを介して受信し、かつ、上記格納したＵＭＴＳセルデータの少なくとも一部として上記一時的な識別コードを格納し、かつ、呼設定メッセージであって、上記モバイル端末用の上記格納した一時的な識別コードを含む呼設定メッセージをＵＭＴＳ無線ネットワークコントローラへ送信することによって、上記ＧＳＭ基地局コントローラからの上記ページング要求の受信に応答するようにさらに構成されてもよい。
【００１４】
上記コントローラは、上記選択したＵＭＴＳセルへの登録の完了に応じて上記ＵＭＴＳトランシーバの少なくとも一部を電力供給を停止するように構成されると共に、上記ＧＳＭ基地局コントローラからの上記ページング要求の受信に応じて上記ＵＭＴＳトランシーバの以前電力供給を停止した部分に電力を供給するようにさらに構成されてもよい。
【００１５】
上記コントローラは、上記選択したＵＭＴＳセルへの登録を完了した後、閾値時間（この閾値時間の間、更新したＵＭＴＳセルデータの取得と格納とを行うことによって上記ＧＳＭ基地局コントローラからページング要求が受信されることはなかった）の満了に応答するようにさらに構成されてもよい。
【００１６】
上記コントローラは、上記選択したＵＭＴＳセルへの登録完了後、閾値時間（この閾値時間の間、上記選択したＵＭＴＳセルの制御チャネル用更新した同期データを、上記コントローラに格納される更新したＵＭＴＳセルデータの一部として取得し、かつ、この同期データを格納することによって上記ＧＳＭ基地局コントローラからページング要求が受信されることはなかった）の満了に応答するようにさらに構成されてもよい。
【００１７】
上記コントローラは、更新したＵＭＴＳセルデータの取得と格納とによって、上記ＧＳＭトランシーバと上記ＧＳＭ基地局コントローラとの間のタイミング同期時の少なくとも閾値の変化を観察するようにさらに構成されてもよい。
【００１８】
上記コントローラは、上記選択したＵＭＴＳセルの制御チャネル用更新した同期データを取得することによって、かつ、上記コントローラに格納された更新したＵＭＴＳセルデータの一部として上記更新した同期データを格納することによって、上記ＧＳＭトランシーバと上記ＧＳＭ基地局コントローラとのタイミング同期の際の少なくとも閾値の変化の観察に応答するようにさらに構成されてもよい。
【００１９】
上記コントローラは、ＧＳＭ基地局コントローラからのページング要求を待機している間、更新したＵＭＴＳセルデータの取得と格納とによって、１つのＧＳＭ基地局コントローラから別のＧＳＭ基地局コントローラへハンドオフが行われるステップに応答するようにさらに構成されてもよい。
【００２０】
上記コントローラは、更新したＵＭＴＳセルデータの取得と格納とによってＧＳＭセルの再選択処理の開始に応答するようにさらに構成されてもよい。
【００２１】
上記コントローラは、更新したＵＭＴＳセルデータの取得と格納とによって、ユーザによりトリガされるアクティブ信号の検知に応答するようにさらに構成されてもよい。上記コントローラは、上記モバイル端末の筐体の一部のオープンを検知するステップと、上記モバイル端末の圧力スイッチの起動を検知するステップと、上記モバイル端末のユーザによるタッチパネル式ディスプレイへの接触を検知するステップと、上記ユーザが呼の開始を準備する際の更新したＵＭＴＳセルデータの取得と格納とによって上記モバイル端末の移動を検知するステップとのうちの少なくともいずれかのステップに応答してもよい。
【００２２】
上記コントローラは、上記モバイル端末の筐体の一部のオープンを検知するステップと、上記モバイル端末の圧力スイッチの起動を検知するステップと、上記モバイル端末のユーザによるタッチパネル式ディスプレイへの接触を検知するステップと、上記格納したＵＭＴＳセルデータを用いて、ユーザが呼の開始を準備する際の上記選択したＵＭＴＳセルのＵＭＴＳ制御チャネルの監視時に支援することによって上記モバイル端末の移動を検知するステップとのうちの少なくともいずれかのステップに応答するようにさらに構成されてもよい。
【００２３】
上記コントローラは、該コントローラがＧＳＭ基地局コントローラからのページング要求に対してＧＳＭ制御チャネルを監視する旨を、上記ＵＭＴＳトランシーバを介して上記ＵＭＴＳコアネットワークに通知することによって、上記選択したＵＭＴＳセルへの登録完了ステップに応答するようにさらに構成されてもよい。
【００２４】
本発明のいくつかの別の実施形態は、上記モバイル端末が、ＧＳＭ基地局コントローラからのＧＳＭ制御チャネルを任意のページング要求に対して監視する旨を示す通知を、ＵＭＴＳ無線ネットワークコントローラを経由してモバイル端末からコアネットワークにおいて受信するステップを含む方法を目的とする。上記通知は、モバイル端末へ通信するための、上記コアネットワークにより受信され、かつ、上記モバイル端末へ向けられるページング要求をＧＳＭ基地局コントローラへ転送することによって、応答される。ページング応答が上記ＵＭＴＳ無線ネットワークコントローラを経由して上記モバイル端末から受信され、かつ、呼が上記コアネットワーク及び上記ＵＭＴＳ無線ネットワークコントローラを経由して上記ページング応答に応じて上記モバイル端末と確立される。
【００２５】
本発明のさらにいくつかの別の実施形態では、コアネットワークがＵＭＴＳ移動体交換センタを含み、該ＵＭＴＳ移動体交換センタは、上記モバイル端末が任意のページング要求に対してＧＳＭ基地局コントローラからのＧＳＭ制御チャネルを監視する旨を示す通知を、ＵＭＴＳ無線ネットワークコントローラを経由してモバイル端末から受信するように構成され、かつ、上記モバイル端末へ向けられるページング要求を、モバイル端末への通信用ＧＳＭ基地局コントローラへ転送することによって上記通知に応答するように構成され、かつ、上記ＵＭＴＳ無線ネットワークコントローラを経由して上記モバイル端末と呼を確立することによって、上記ＵＭＴＳ無線ネットワークコントローラを経由して上記モバイル端末からのページング応答の受信に応答するように構成される。
【００２６】
本発明のさらなる理解が得られるように、添付図面が含まれ、かつ、本願の一部に組み込まれると共に、本願の一部を構成しているが、これらの添付図面は本発明の或る（単複の）実施形態を示すものである。
【図面の簡単な説明】
【００２７】
【図１】移動通信端末がＵＭＴＳネットワークに登録し、かつ、ＵＭＴＳネットワークを介して対応する呼を設定することによって、ＧＳＭネットワークからのページング要求を監視すると共に、当該ページング要求に応答するように構成される無線通信システムを本発明の種々の実施形態に従って示す図である。
【図２】本発明のいくつかの実施形態に係る図３に図示の無線通信端末の例示の回路ブロック図である。
【図３】本発明のいくつかの実施形態に係る図１及び図２に図示の無線通信端末により実行できる動作のフローチャートである。
【図４】本発明のいくつかの実施形態に係る図１及び図２に図示の移動通信端末、ＧＳＭ基地局コントローラ、ＵＭＴＳ無線ネットワークコントローラ、及びコアネットワークによって実行できる動作を示すデータフロー及びフローチャートである。
【発明を実施するための形態】
【００２８】
次に添付図面を参照しながら本発明の種々の実施形態について以下さらに詳細に説明する。しかしながら、本発明は本書面に記載の実施形態に限定されると解釈すべきではない。むしろこれらの実施形態は、本開示が完全であり完璧であって、本発明の範囲を当業者に伝えるために提供されるものである。
【００２９】
本明細書で使用されているように、「を備えている（comprising）」又は「を備える（comprises）」という用語はオープンエンドスタイルの用語であって、１以上の記載された要素と、ステップと、機能との少なくともいずれかを含むものであるが、１以上の記載されていない要素と、ステップと、機能とのうちの少なくともいずれかを除外するものではないことは理解されよう。本明細書で使用されているように、文脈によって別様に明示されていない限り、単数形を示す「ａ」、「ａｎ」及び「ｔｈｅ」は複数形も同様に含むことを意図するものである。「と〜とのうちの少なくともいずれか（and/or）」という用語及び「／」は、１以上の関連付けられた項目、リストされた項目のうちの任意の、及び、すべての組み合わせを含むものである。図面では、図を明瞭にするためにサイズ及び領域の相対的サイズが誇張されている場合がある。同一の番号は図面の説明を通じて同一の要素を示すものとする。
【００３０】
いくつかの実施形態は、ハードウェアと、（ファームウェア、常駐ソフトウェア、マイクロコード等を含む）ソフトウェアとの少なくともいずれかの形で実現されてもよい。したがって、本書面において用いられているように、「信号」という用語は、メモリ又はレジスタ内の（単複の）デジタル値のような連続波の形と（単複の）離散値の形の少なくともいずれかの形をとり得る。したがって、本書面において用いられているように、「回路」及び「コントローラ」という用語は、（汎用マイクロプロセッサとデジタル信号プロセッサの少なくともいずれかのプロセッサのような）（単複の）命令処理装置によって実行される（ソフトウェアアプリケーションなどの）コンピュータ可読プログラムコードのようなデジタル回路と、アナログ回路とのうちの少なくともいずれかの回路の形をとることも可能である。
【００３１】
以下、ブロック図と処理フローチャートに関連して実施形態について説明する。理解すべきことであるが、上記ブロックに記載されているこの機能／動作は動作説明図に記載されている順序とは異なる順序で行われてもよい。例えば、連続して示される２つのブロックを実際にはほぼ同時に実行してもよいし、あるいは、関係する機能／動作に応じて逆の順序でこれらのブロックを実行してもよい場合も時としてある。上記線図のうちのいくつかには通信路上に情報伝達の主方向矢印が含まれてはいるが、描かれている矢印に対して逆方向に通信が行われ得ることを理解されたい。
【００３２】
ブロック図又はフローチャートのブロック、並びに、ブロック図又はフローチャート内のブロックの組み合わせがコンピュータプログラム命令によって少なくとも部分的に実行されてもよいことは理解されよう。これらのコンピュータプログラム命令は、１以上の企業、アプリケーション、個人用のパーベイシブな態様と組込み型の態様の少なくともいずれかの態様でコンピュータシステムへ提供されてもよく、それによって、（単複の）コンピュータシステムを介して実行する上記命令は、ブロック図の単複のブロックにおい指定された機能／動作を実行するための手段、モジュール、装置又は方法を生成するようになっている。本発明の実施形態に係るコンピュータプログラムは、本願で実施されるコンピュータ可読プログラムコードを有するコンピュータで使用可能な格納媒体を含むものである。汎用コンピュータシステムと特定用途向けハードウェアの少なくともいずれかの組み合わせもまた別の実施形態で用いられてもよい。
【００３３】
上記コンピュータシステムが特定の方法で機能するように（単複の）コンピュータシステムに指示するこれらのコンピュータプログラム命令は（単複の）コンピュータシステムのメモリに格納されてもよい。これによって、上記メモリに格納された命令は、（単複の）ブロックにおいて指定される機能／動作を実行するコンピュータ可読プログラムコードを含む製品を生み出すようになる。上記コンピュータプログラム命令はまた（単複の）コンピュータシステム内へロードされて、コンピュータにより実行される処理を生成するために上記（単複の）コンピュータシステムが行うべき一連の処理ステップを実行させてもよい。それによって、プロセッサで実行する命令は、単複のブロックにおいて指定される機能／動作を実行するステップを提供することになる。したがって、ブロック図とフローチャートの少なくともいずれかからなる所定の（単複の）ブロックが、方法と、コンピュータプログラム製品と、システム（構造的とミーンズ・プラス・ファンクションの少なくともいずれか）とのうちの少なくともいずれかをサポートすることになる。
【００３４】
種々の実施形態の説明を行うという目的のために、移動通信端末に関連して本発明の種々の実施形態について説明を行うが、本発明はこれらのみに限定されるわけではなく、本書面に記載の動作可能な実施形態のうちの少なくとも１つの実施形態を実行できる任意の構成の包含を意図するものであることを理解されたい。本願で用いられているように、「移動通信端末」、「モバイル端末」、又は「端末」（但しこれらのみに限定されるわけではない）には、ＧＳＭエアインタフェースプロトコルを介して、かつ、ＵＭＴＳエアインタフェースプロトコルを介して通信を行うように構成され、ＧＳＭとＵＭＴＳ規格の少なくとも一部を規定する先行規格と継承規格の少なくともいずれかの規格を含む任意の電子装置が含まれる。無線端末の例としては、セルラ無線端末と、データ処理機能、ファクシミリ機能、及び、データ通信機能のうち少なくともいずれかの機能をセルラ無線端末と組み合わせてもよい個人用通信端末と、無線トランシーバ、ポケットベル、インターネットアクセス及びイントラネットアクセス、ローカルエリアネットワークインタフェース、広域ネットワークインタフェース、ウェブブラウザ、システム手帳、及び、カレンダーのうち少なくともいずれかを含んでもよい携帯情報端末（ＰＤＡ）と、無線トランシーバを含むモバイル又は固定コンピュータ或いは他の装置とのうちの少なくともいずれかを含み得るものであるが、これらに限定されるわけではない。
【００３５】
本発明のいくつかの実施形態のなかには、モバイル端末がＵＭＴＳ無線ネットワークコントローラからの着信ページング要求に対してＵＭＴＳ制御チャネルをアイドルモードで監視しているとき、上記モバイル端末は、当該モバイル端末がＧＳＭ基地局コントローラからのページ要求に対してＧＳＭ制御チャネルをアイドルモードで監視しているとき上記モバイル端末が使用する平均電流の２倍に近づくこともある本実施形態から生じるものも考えられる。本発明の種々の実施形態によれば、モバイル端末がＵＭＴＳ無線ネットワークコントローラにより提供されるＵＭＴＳセルを選択し、当該コントローラに登録する。上記モバイル端末は選択したＵＭＴＳセルの通信特性のスナップショットを定義するＵＭＴＳセルデータを格納する。モバイル端末は、ＧＳＭトランシーバを介してＧＳＭ基地局コントローラにより送信されるページング要求に対してＧＳＭ制御チャネルを現時点で監視することによって、選択したＵＭＴＳセルへの登録完了に応答する。モバイル端末は、ＵＭＴＳ無線ネットワークコントローラ及びＵＭＴＳコアネットワークを経由して、ＵＭＴＳトランシーバと選択したＵＭＴＳセルとを介して、対応する呼を設定し、かつ、ＵＭＴＳコアネットワークの設定時に上記モバイル端末を支援する上記格納したＵＭＴＳセルデータを用いてモバイル端末によるページング要求の受信に応答する。したがって、ページング要求を待機している間アイドリングをＧＳＭ制御チャネルで行い、次いで、ＵＭＴＳ無線ネットワークコントローラを経由して呼の設定を行うことによって、モバイル端末は、ページング要求を待機しながらアイドリングしている間、電力消費の低減が可能になると共に、対応する発呼中にＵＭＴＳ無線ネットワークコントローラにより提供されるさらに高度のパフォーマンスと機能との利用が可能になる。
【００３６】
図１は、モバイル端末がＵＭＴＳネットワークに登録し、次いで、このＵＭＴＳネットワークを経由して対応する呼を設定することによって、ＧＳＭネットワークからのページング要求に対して監視すると共に、当該ページング要求に応答できるように、本発明の種々の実施形態に従って構成される無線通信システムを示す。図２は、本発明のいくつかの実施形態に係る図１に示す無線通信端末の回路の例示のブロック図を示す。
【００３７】
図１を参照してわかるように、本システムには、モバイル端末１００と、ＧＳＭ基地局サブシステム１１０、ＵＭＴＳ無線ネットワークサブシステム１２０及びコアネットワーク１３０を含みうる固定された通信構成要素とが含まれる。
【００３８】
ＧＳＭ基地局サブシステム１１０は、ＧＳＭトランシーバ基地局（ＢＴＳ）１１２、ＧＳＭ基地局コントローラ（ＢＳＣ）１１４及びＧＳＭパケット制御ユニット（ＰＣＵ）１１６を含む。ＧＳＭ  ＢＳＣ１１４は、モバイル端末１００への（タイムスロットなどの）無線リソースの割り当てと、周波数管理と、ＧＳＭ  ＢＳＣ１１４により制御されるＧＳＭ  ＢＴＳ間でのハンドオーバとを実行するように構成することができる。ＧＳＭ  ＰＣＵ１１６は、ＧＳＭ  ＢＴＳ１１２を経由するモバイル端末１００を用いて、汎用パケット無線サービス（ＧＰＲＳ）を介するようなパケット通信の管理を行うように構成することができる。
【００３９】
ＵＭＴＳ無線ネットワークサブシステム１２０は、ＵＭＴＳノードＢ１２２と、ＵＭＴＳ無線ネットワークコントローラ（ＲＮＣ）１２４とを含む。ＵＭＴＳ  ＲＮＣ１２４は、モバイル端末１００への無線リソースの割り当てと、周波数管理と、ＵＭＴＳ  ＲＮＣ１２４により制御されるノード間ハンドオーバとを実行するように構成されることができる。ＵＭＴＳ  ＲＮＣ１２４は、従来のサービングＲＮＣ機能、ドリフトＲＮＣ機能及び制御ＲＮＣ機能を含んでもよい。ＵＭＴＳ  ＲＮＣ１２４は、ＵＭＴＳノードＢを経由するモバイル端末１００を用いて、汎用パケット無線サービス（ＧＰＲＳ）を介するようなパケット通信の管理を行うように構成されることができる。
【００４０】
参照の便宜上、コアネットワーク１３０はＧＳＭ及びＵＭＴＳ通信サービスをモバイル端末１００へ提供するために用いられる種々の構成要素を包含するものとして示されている。しかし、実際には、これらの構成要素のなかには異なる構成で構成され、異なるサービスプロバイダエンティティにより動作できるものもあることを理解されたい。例えば、組み合わされたＭＳＣと、組み合わされたＳＧＳＮとの少なくともいずれかが、ＧＳＭ  ＢＳＳ１１０とＵＭＴＳ  ＲＮＳ１２０の双方へトラフィックのサービスを行うようにしてもよい。
【００４１】
例示のコアネットワーク１３０は、ＧＳＭ移動体交換センタ（ＭＳＣ）１４０、ＧＳＭサービングＧＰＲＳサポートノード（ＧＧＳＮ）１４２、ＵＭＴＳ移動体交換センタ（ＭＳＣ）１５０、ＵＭＴＳサービングＧＰＲＳサポートノード（ＳＧＳＮ）１５２及びゲートウェイＧＰＲＳサポートノード（ＧＧＳＮ）１８０を含んでもよい。説明を容易にするために別々の構成要素がコアネットワーク１３０に示されてはいるが、これらの構成要素に対応する本願に記載の機能は、より少数の構成要素の範囲内で組み合わされてもよいし、あるいは、これらの構成要素又は別の構成要素の間で別様に分散されてもよいことを理解されたい。
【００４２】
ＧＳＭ  ＭＳＣ１４０は呼を設定し、かつ、（Ａインタフェースを介して）ＧＳＭ  ＢＳＣ１１４と、公衆交換電話網（ＰＳＴＮ）と、別のネットワークとから／へ呼を切り替えることができる。ホーム／ビジタロケーションレジスタ１６０が、移動体で終端する呼及びＳＭＳ（ショートメッセージサービス）に対してルーティング情報を提供することができると共に、ユーザ及びビジタの登録情報の保守管理の役割を果たすようにしてもよい。ＧＳＭ  ＳＧＳＮ１４２は、モバイル端末１００の位置を追跡し、かつ、セキュリティ機能を実行し、かつ、（モバイル端末１００への常時接続アクセスを実質的に可能にするなどの）アクセス制御を行うように構成されてもよい。ＧＳＭ  ＳＧＳＮ１４２は、ＧＰＲＳバックボーンＩＰネットワークを介するＧＧＳＮ１８０とＧＳＭ  ＰＣＵ１１６とをＧｂインタフェースを介して相互接続を行う。ＧＧＳＮ１８０は、モバイル端末１００及び、インターネットと別のパケットネットワークとの少なくともいずれかとの間で、ＧＳＭ基地局サブシステム１１０を介してパケットデータのルーティングを行う。
【００４３】
ＵＭＴＳ  ＭＳＣ１５０は、呼を設定し、かつ、（ＩｕＣＳインタフェースを介して）ＵＭＴＳ  ＲＮＣ１２４と、公衆交換電話網（ＰＳＴＮ）と、別のネットワークとから／へ呼を切り替えることができる。ホーム／ビジタロケーションレジスタ１７０は、移動体で終端する呼及びメッセージ送信に対してルーティング情報を提供することができると共に、ユーザ及びビジタの登録情報の保守管理を行う役割を果たしてもよい。ＵＭＴＳ  ＳＧＳＮ１５２は、モバイル端末１００の所在位置を追跡し、かつ、セキュリティ機能を実行すると共に、（モバイル端末１００への常時接続アクセスを実質的に可能にするなどの）アクセス制御を行うように構成されてもよい。ＵＭＴＳ  ＳＧＳＮ１５２は、ＩｕＰＳインタフェースを介して、ＧＰＲＳバックボーンＩＰネットワークを介するＧＧＳＭ１８０とＵＭＴＳ  ＰＣＵ及び２６との相互接続を行う。ＧＧＳＮ１８０は、モバイル端末１００と、インターネット及び別のパケットネットワークのうちの少なくともいずれかとの間で、ＵＭＴＳ無線ネットワークサブシステム１２０を介してパケットデータのルーティングを行う。
【００４４】
次に図２を参照すると、モバイル端末１００は、コントローラ２００、ＧＳＭトランシーバ２１０、ＵＭＴＳトランシーバ２２０、及びメモリ２２２を含み、かつ、キーパッド２３０、ディスプレイ２３２、スピーカ２３４、マイク２３６をさらに含んでもよい。
【００４５】
ＧＳＭトランシーバ２１０は、ＧＳＭプロトコルエアインタフェース１０２（図１）に従って通信を行うように構成され、このトランシーバ２１０にはＧＳＭ規格の少なくとも一部を規定する先行規格と継承規格の少なくともいずれかの規格が含まれる。ＵＭＴＳトランシーバ２２０は、ＵＭＴＳプロトコルエアインタフェース１０４（図１）に従って通信を行うように構成され、ＵＭＴＳ規格の少なくとも一部を規定する先行規格と継承規格の少なくともいずれかの規格を含む。本願で使用されるようなエアインタフェース通信プロトコルは、伝送情報と、通信フレームとタイムスロットの少なくともいずれかの計時と、制御チャネル及びトラフィックチャネルの周波数と、データ変調と、２つの通信装置からと、２つの通信装置へと、２つの通信装置間とのうちの少なくともいずれかにおける通信の設定と維持の少なくともいずれかを行うための動作とのうちの少なくともいずれかを指定してもよい。本明細書で使用されているように、「通信(communicate)」という用語は、送信と、受信と、送信及び受信両方とのうちの少なくともいずれかを意味する。
【００４６】
図１〜図２に関連して示され、かつ、記載されている実施形態例は、種々の実施形態について説明を行う目的で提供されるものであるが、本発明はこれらの構成のみに限定されるわけではなく、本書面に記載の動作可能な実施形態のうちの少なくとも１つの実施形態を実行できる任意の構成の包含を意図するものであることを理解されたい。
【００４７】
図３は、図１と図２に図示の無線通信端末により実行できると共に、さらに詳細には、本発明のいくつかの実施形態に従って、当該無線通信端末のコントローラ２００により実行できる動作３００のフローチャートを示す。図１〜図３を参照してわかるように、コントローラ２００は、ＵＭＴＳ  ＲＮＣ１２４によって提供される利用可能なＵＭＴＳセルを探索して選択する（ブロック３０２）。次いで、コントローラ２００は、ＵＭＴＳトランシーバ２２０を介して、選択したＵＭＴＳセルに登録する（ブロック３０４）。コントローラ２００は、メモリ２２２内の選択したＵＭＴＳセルの通信特性のスナップショットを定義するＵＭＴＳセルデータを格納する（ブロック３０６）。
【００４８】
いくつかの実施形態では、コントローラ２００は、選択したＵＭＴＳセルの制御チャネルの周波数データと、選択したＵＭＴＳセルの制御チャネルの同期データと、選択したＵＭＴＳセルの通信チャネルのスクランブルコードと、ＵＭＴＳ  ＲＮＣ１２４又はコアネットワーク１３０の構成要素によってモバイル端末１００に割り当てられた一時的な識別コードとのうちの少なくともいずれかのデータ及びコードを取得し、かつ、このデータ及びコードをＵＭＴＳセルデータの一部として（メモリ２２２内に）格納してもよい。
【００４９】
例えば、コントローラ２００はＵＭＴＳセルの一次同期チャネル（Ｐ−ＳＣＨ）を探索してもよい。Ｐ−ＳＣＨの発見に応じて、コントローラ２００は、受信した同期コードワードを既知の可能なコードワードに相関づけることによって、Ｐ−ＳＣＨ用の同期データを取得してもよい。次いで、コントローラ２００は、ＣＰＩＣＨ用のコードグループを特定するための特定した同期コードワードを用いて、共通パイロットチャネル（ＣＰＩＣＨ）用のプライマリスクランブルコードを取得してもよく、次いで、このプライマリスクランブルコードが受信データを適切に復号化したコードとして特定されるまで、上記特定したコードグループ内の検査用コードを取得してもよい。次いで、コントローラ２００は、プライマリスクランブルコードを用いて、コントローラ２００が利用するシステム情報を運ぶ共通制御物理チャネル（ＣＣＰＣＨ）の検出が可能であり、上記システム情報は、このチャネルが登録用として適切なＵＭＴＳセルである（例えばこのチャネルへのアクセスが許可されている）かどうかを判定し、次いで、このチャネルが適切なＵＭＴＳセルであれば、コントローラ２００は当該ＵＭＴＳセルを選択することになる。
【００５０】
モバイル端末１００は、ＧＳＭトランシーバ２１０を介してＧＳＭ  ＢＳＣ１１４により送信される着信ページング要求に対してＧＳＭ制御チャネルを現時点で監視する（ブロック３０８）ことによって、当該端末１００によって選択したＵＭＴＳセルへの登録完了に応答する。モバイル端末１００は、ＵＭＴＳ  ＲＮＣ１２４及びＵＭＴＳコアネットワーク１３０を経由してＵＭＴＳトランシーバ２２０と選択したＵＭＴＳセルとを介して、対応する呼の設定時に上記モバイル端末を支援するための、メモリ２２２内に格納されたＵＭＴＳセルデータを用いることによって、ＧＳＭ  ＢＳＣ１１４からのモバイル端末によるページング要求の受信に応答する（ブロック３１０）。
【００５１】
したがって、ページング要求を待機し、次いで、ＵＭＴＳ  ＲＮＣ１２４を経由して呼を設定しながら、モバイル端末１００はＧＳＭ制御チャネルでアイドリングを行うことによって、アイドリングしている間、電力消費の低減が可能になると共に、さらに高度のパフォーマンスと、対応する発呼中のＵＭＴＳ  ＲＮＣ１２４により提供される機能との利用をさらに可能にしてもよい。さらに、ＧＳＭ制御チャネルでアイドリングを行う前にＵＭＴＳセルデータをメモリ２２２に格納することによって、モバイル端末１００は選択したＵＭＴＳセルを介して対応する呼をより迅速に設定してもよい。
【００５２】
図４は、本発明のいくつかの実施形態に従って、図１及び図２に図示のモバイル端末１００によって（コントローラ２００などにより）、ＧＳＭ  ＢＳＣ１１４、ＵＭＴＳ  ＲＮＣ１２４、及びコアネットワーク１３０によって実行できる別の動作のデータフロー図兼フローチャートを示す。図４を参照してわかるように、モバイル端末１００は、ＵＭＴＳ  ＲＮＣ１２４により提供される利用可能なＵＭＴＳセルを探索し、かつ、このＵＭＴＳセルを選択する（ブロック４０２）。次いで、モバイル端末１００は、ＵＭＴＳトランシーバ２２０を介して登録要求をＵＭＴＳ無線ネットワークコントローラ１２４へ送信して選択したＵＭＴＳセルに登録を行う（ブロック４０４）。
【００５３】
ＵＭＴＳ  ＲＮＣ１２４は、登録要求をコアネットワーク１３０へ転送し（ブロック４０６）、モバイル端末のサービス及び登録の認証を行う（ブロック４０８）ようにしてもよい。コアネットワーク１３０は登録応答をＵＭＴＳ  ＲＮＣ１２４へ送信することができる。ＵＭＴＳ  ＲＮＣ１２４は、選択したＵＭＴＳセルの通信チャネル用スクランブルコードをモバイル端末１００へ伝送する（ブロック４１０）か、一時的な識別コードをモバイル端末１００に割り当てるかの少なくともいずれかを行ってもよい。
【００５４】
モバイル端末１００は、着信ページング要求に対する監視であって、上記選択したＵＭＴＳセルの制御チャネルの監視を少なくとも一時的に停止することによって、かつ、上記ＧＳＭ基地局コントローラ１１４により送信される上記着信ページング要求に対する監視であって、ＧＳＭ制御チャネルの監視を開始することによって、上記モバイル端末１００のバッテリ電源がバッテリの蓄積量を維持するための閾値より少なくなっていることを示す信号に応答するようにさらに構成されてもよい。上記とは別に、モバイル端末１００は、ＧＳＭ基地局コントローラ１１４により送信される着信ページング要求に対するＧＳＭ制御チャネルの監視を開始することによって、選択したＵＭＴＳセルへの登録の完了に応答してもよい。
【００５５】
着信ページング要求に対するＧＳＭ制御チャネルの監視に切り替える前に、モバイル端末１００は、選択したＵＭＴＳセルの通信特性のスナップショットを定義するＵＭＴＳセルデータを格納する（ブロック４１２）。モバイル端末１００は、選択したＵＭＴＳセルの制御チャネル用周波数データと、選択したＵＭＴＳセルの制御チャネル用同期データと、選択したＵＭＴＳセルの通信チャネル用スクランブルコードと、コアネットワーク１３０のＵＭＴＳ  ＲＮＣ１５０又は構成要素によってモバイル端末１００に割り当てられた一時的な識別コードとのうちの少なくともいずれかのデータ及びコードを取得し、かつ、このデータ及びコードをＵＭＴＳセルデータの一部として格納するように構成されてもよい。
【００５６】
いくつかの実施形態では、モバイル端末１００は、選択したＵＭＴＳセルの制御チャネル用同期データを格納したＵＭＴＳセルデータの一部として取得し、かつ、この同期データを含んでもよい。次いで、モバイル端末１００は、ＵＭＴＳトランシーバ２２０を制御して、選択したＵＭＴＳセルの制御チャネルへのモバイル端末１００による呼設定メッセージの送信を、格納した同期データの利用によって同期させることにより、ＧＳＭトランシーバ２１０を介するページング要求の受信に応答してもよい。
【００５７】
いくつかの実施形態では、モバイル端末１００は、選択したＵＭＴＳセルの通信チャネル用スクランブルコードを格納したＵＭＴＳセルデータの少なくとも一部として特定するデータを取得し、かつ、このデータを含んでもよい。次いで、モバイル端末１００は、ページング要求が送信されたとき、このページング要求をスクランブルするために、格納したスクランブルコードデータを用いて、選択したＵＭＴＳセルの制御チャネルを経由して呼設定メッセージを送信することによって、ＧＳＭトランシーバ２１０を介してページング要求の受信に応答してもよい。
【００５８】
いくつかの実施形態では、モバイル端末１００は、格納したＵＭＴＳセルデータの少なくとも一部として、ＵＭＴＳトランシーバ２２０を介して受信される一時的な識別コードを含むように構成されてもよい。次いで、モバイル端末１００は、モバイル端末１００用の格納した一時的な識別コードを含む呼設定メッセージをＵＭＴＳ  ＲＮＣ１２４へ送信することによって、ＧＳＭトランシーバ２１０を介してページング要求の受信に応答してもよい。
【００５９】
モバイル端末１００は、選択したＵＭＴＳセルへの登録の完了に応じてＵＭＴＳトランシーバ２２０の少なくとも一部への電力供給を停止して、電力を節減するようにしてもよい。
【００６０】
モバイル端末１００はＧＳＭセルの探索と選択とを行う（ブロック４１４）と共に、選択したＧＳＭセルを介して登録要求を送信してもよい（ブロック４１６）。ＧＳＭ  ＢＳＣ１１４は、登録要求をコアネットワーク１３０へ転送して、モバイル端末のサービスと登録との認証を行う（ブロック４２０）ようにしてもよい（ブロック４１８）。コアネットワーク１３０は登録応答をＧＳＭ  ＢＳＣ１１４へ送信することができる。制御チャネル周波数と別の登録データの少なくともいずれかをモバイル端末１００へ伝送する（ブロック４２２）ことによって、ＧＳＭ  ＢＳＣ１１４は応答を行うようにしてもよい。次いで、モバイル端末１００は着信ページング要求に対する特定済み制御チャネルの監視を開始する。
【００６１】
モバイル端末１００が着信ページング要求に対してＧＳＭ制御チャネルを監視している間、少なくともいくつかの格納したＵＭＴＳセルデータが十分に時間切れとなるため、ＵＭＴＳ  ＲＮＣ１２４とコアネットワーク１３０との呼設定によって上記ＵＭＴＳセルデータを補助するために使用するにはもはや不適切なものになっている可能性がある。
【００６２】
したがって、いくつかの実施形態では、モバイル端末１００は、更新したＵＭＴＳセルデータを取得し、かつ、このセルデータを格納することによるか、モバイル端末１００に格納された更新したＵＭＴＳセルデータの一部として選択したＵＭＴＳセルの制御チャネル用更新した同期データを取得し、このセルデータを含むことによるかの少なくともいずれかを行うことによって、選択したＵＭＴＳセルへの登録が完了した後、着信ページング要求がＧＳＭ基地局コントローラから受信されなかった閾値時間の満了に応答するようにしてもよい。モバイル端末１００は、更新したＵＭＴＳセルデータの取得と格納とによって、ＧＳＭトランシーバ２１０とＧＳＭ  ＢＳＣ１１４との間のタイミング同期時の少なくとも閾値の変化の観察に応答してもよい。
【００６３】
いくつかの別の実施形態では、モバイル端末１００は、上記選択したＵＭＴＳセルの制御チャネル用更新した同期データを取得し、かつ、該モバイル端末１００に格納された更新したＵＭＴＳセルデータの一部として、上記更新した同期データを含むことによって、上記ＧＳＭトランシーバと上記ＧＳＭ基地局コントローラとの間のタイミング同期時の少なくとも閾値の変化の観察に応答してもよい。
【００６４】
いくつかの別の実施形態では、モバイル端末１００は、更新したＵＭＴＳセルデータの取得と格納とによってＧＳＭセルの再選択処理の開始に応答してもよい。
【００６５】
いくつかの別の実施形態では、モバイル端末１００は、更新したＵＭＴＳセルデータの取得と格納とによって、ユーザがトリガするアクティブ信号の（コントローラ２００を介する）検知に応答してもよい。例えば、コントローラ２００は上記モバイル端末１００の筐体の一部のオープンを検知するステップと、上記モバイル端末１００の圧力スイッチの起動を検知するステップと、上記モバイル端末１００のユーザによるタッチパネル式ディスプレイ２３２への接触を検知するステップと、ユーザが呼の開始を準備する際に更新したＵＭＴＳセルデータの取得と格納とによって、上記モバイル端末１００の移動を（例えば加速度計とチルトセンサの少なくともいずれかを介して）検知するステップとのうちの少なくともいずれかのステップに応答してもよい。
【００６６】
コントローラ２００は、上記モバイル端末１００の筐体の一部のオープンを検知するステップと、上記モバイル端末１００の圧力スイッチの起動を検知するステップと、上記モバイル端末１００のユーザによるタッチパネル式ディスプレイ２３２への接触を検知するステップと、ユーザが呼の開始を準備する際に上記選択したＵＭＴＳセルのＵＭＴＳ制御チャネルの監視時に支援を行うために、上記格納したＵＭＴＳセルデータを用いることによって上記モバイル端末の移動を検知するステップとのうちの少なくともいずれかのステップに応答するようにさらに構成されてもよい。
【００６７】
コアネットワーク１３０は着呼を受信する（ブロック４２４）と共に、対応するページング命令をＧＳＭ基地局コントローラ１１４へ伝送する。ＧＳＭ  ＢＳＣ１１４は制御チャネルでページング要求をモバイル端末１００へ送信する（ブロック４２８）ことによって応答を行う。ＧＳＭ  ＢＳＣ１１４は、モバイル端末１００がＧＳＭ制御チャネルの代わりにＵＭＴＳ制御チャネルを監視している場合、モバイル端末１００への送信を求めるページング要求をＵＭＴＳ  ＲＮＣ１２４へさらに送信してもよい（破線のデータフローライン４２６）。
【００６８】
モバイル端末１００は、ＵＭＴＳトランシーバ２２０の以前電力供給を停止した任意の部分に電力を供給することによって、かつ、モバイル端末１００がＵＭＴＳ  ＲＮＣ１２４へ送信するページング応答を生成することによってページャ要求の受信に応答する（ブロック４３０）。次いで、モバイル端末１００及びＵＭＴＳＲＮＣ１２４は、従来方式のＵＭＴＳ呼設定手順を実行してもよい（ブロック４３２及び４３４）。
【００６９】
いくつかの実施形態では、モバイル端末１００が選択したＵＭＴＳセルへの登録を実行した後、モバイル端末１００は、ＧＳＭ基地局コントローラが送信する着信ページング要求に対してＧＳＭ制御チャネルを監視する旨をＵＭＴＳセルに通知してもよい。したがって、コアネットワーク１３０は、モバイル端末１００が任意の着信ページング要求に対してＧＳＭ  ＢＳＣ１１４からのＧＳＭ制御チャネルを監視する旨を示す通知をＵＭＴＳ  ＲＮＣ１２４を経由してモバイル端末１００から受信するようにその後構成されてもよい。次いで、コアネットワーク１３０は、（ブロック４２４で受信したページング要求などの）ページング要求をモバイル端末１００への送信用としてＧＳＭ  ＢＳＣ１１４へ転送することによって上記通知に応答してもよい。
【００７０】
図面及び明細書において本発明の実施形態を開示した。特定の用語が使用されてはいるが、これらの用語は単に一般的かつ説明的な意味合いで用いられたものであって、以下の請求項に記載される本発明の範囲の限定を意図するものではない。
【図１】
2012506169.tif 000003
【図２】
2012506169.tif 000004
【図３】
2012506169.tif 000005
【図４】
2012506169.tif 000006
【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
モバイル端末であって、
ＧＳＭ無線通信インタフェースを介して通信を行うＧＳＭトランシーバと、
ＵＭＴＳ無線通信インタフェースを介して通信を行うＵＭＴＳトランシーバと、
ＵＭＴＳ無線ネットワークコントローラによって提供されるＵＭＴＳセルを選択して登録し、前記選択したＵＭＴＳセルにおける通信特性のスナップショットを定義するＵＭＴＳセルデータを格納し、ＧＳＭ基地局コントローラによって送信された着信ページング要求に対して、前記ＧＳＭトランシーバを介してＧＳＭ制御チャネルを監視することによって前記選択したＵＭＴＳセルへ登録したことに対して応答し、前記ＵＭＴＳ無線ネットワークコントローラ及びＵＭＴＳコアネットワークを経由して前記ＵＭＴＳトランシーバ及び前記選択したＵＭＴＳセルを介して対応する呼の設定を支援する前記格納したＵＭＴＳセルデータを用いることによって前記ＧＳＭ基地局コントローラからの前記着信ページング要求の受信に応答するコントローラと
を備えることを特徴とするモバイル端末。
【請求項２】
前記コントローラは、さらに、
ＧＳＭ基地局コントローラによって提供されるＧＳＭセルを選択して登録し、前記着信ページング要求に対する前記ＧＳＭ基地局コントローラの前記ＧＳＭ制御チャネルを監視することによって前記選択したＵＭＴＳセルへの登録の完了に応答することを特徴とする請求項１に記載のモバイル端末。
【請求項３】
前記コントローラは、さらに、
前記ＵＭＴＳ無線ネットワークコントローラによって送信された着信ページング要求に対して前記選択したＵＭＴＳセルの制御チャネルの監視を少なくとも一時的に中断し、かつ、前記ＧＳＭ基地局コントローラによって送信された前記着信ページング要求に対して前記ＧＳＭトランシーバを介して前記ＧＳＭ制御チャネルの監視を開始することによって、前記モバイル端末のバッテリ電源がバッテリの蓄積量を維持するための閾値より少ないことを示す信号に応答することを特徴とする請求項１に記載のモバイル端末。
【請求項４】
前記コントローラは、さらに、
前記格納したＵＭＴＳセルデータの少なくとも一部として、前記選択したＵＭＴＳセルの制御チャネルに対する周波数データを格納し、
前記格納した周波数データによって定義された前記制御チャネル周波数で呼設定メッセージを送信する前記ＵＭＴＳトランシーバを制御することによって前記ＧＳＭ基地局コントローラからの前記着信ページング要求の受信に応答し、
前記コントローラは、さらに、
前記格納したＵＭＴＳセルデータの一部として、前記選択したＵＭＴＳセルの制御チャネルに対する同期データを格納し、
前記格納した同期データを用いて前記選択したＵＭＴＳセルの前記制御チャネルへの前記呼設定メッセージの送信を同期させる前記ＵＭＴＳトランシーバを制御することによって前記ＧＳＭ基地局コントローラからの前記着信ページング要求の受信に応答することを特徴とする請求項１に記載のモバイル端末。
【請求項５】
前記コントローラは、さらに、
前記格納したＵＭＴＳセルデータの少なくとも一部として、前記選択したＵＭＴＳセルの通信チャネルに対するスクランブルコードを識別するデータを取得して、格納し、
送信する際に前記着信ページング要求をスクランブルする前記格納したスクランブルコードを用いて前記選択したＵＭＴＳセルの前記制御チャネルを経由して呼設定メッセージを送信することによって前記ＧＳＭ基地局コントローラからの前記着信ページング要求の受信に応答することを特徴とする請求項１に記載のモバイル端末。
【請求項６】
前記コントローラは、さらに、
前記モバイル端末へ前記ＵＭＴＳコアネットワークによって割り当てられている一時的な識別コードを前記ＵＭＴＳトランシーバを介して受信し、
前記格納したＵＭＴＳセルデータの少なくとも一部として前記一時的な識別コードを格納し、
前記モバイル端末からの前記格納した一時的な識別コードを含む呼設定メッセージを前記ＵＭＴＳ無線ネットワークコントローラへ送信することによって前記ＧＳＭ基地局コントローラからの前記着信ページング要求の受信に応答することを特徴とする請求項１に記載のモバイル端末。
【請求項７】
前記コントローラは、さらに、
前記格納したＵＭＴＳセルデータの少なくとも一部として、前記選択したＵＭＴＳセルの制御チャネルに対する周波数データを格納し、
前記格納した周波数データによって定義される前記制御チャネル周波数で呼設定メッセージを送信するように前記ＵＭＴＳトランシーバを制御することによって前記ＧＳＭ基地局コントローラからの前記着信ページング要求の受信に応答し、
前記コントローラは、さらに、
前記格納したＵＭＴＳセルデータの少なくとも一部として、前記選択したＵＭＴＳセルの制御チャネルに対する同期データを識別するデータを格納し、
前記格納した同期データを用いて前記選択したＵＭＴＳセルの前記制御チャネルへの呼設定メッセージの送信を同期させるように前記ＵＭＴＳトランシーバを制御することによって前記ＧＳＭ基地局コントローラからの前記着信ページング要求の受信に応答し、
前記コントローラは、さらに、
前記格納したＵＭＴＳセルデータの少なくとも一部として、前記選択したＵＭＴＳセルの制御チャネルに対するスクランブルコードを識別するデータを格納し、
送信時の前記着信ページング要求をスクランブルするために前記格納したスクランブルコードを用いて前記選択したＵＭＴＳセルの前記制御チャネルを経由して呼設定メッセージを送信することによって前記ＧＳＭ基地局コントローラからの前記着信ページング要求の受信に応答し、
前記コントローラは、さらに、
前記ＵＭＴＳコアネットワークによって前記モバイル端末に割り当てられている一時的な識別コードを前記ＵＭＴＳトランシーバを介して受信し、
前記格納したＵＭＴＳセルデータの少なくとも一部として前記一時的な識別コードを格納し、前記モバイル端末に対する前記格納した一時的な識別コードを含む呼設定メッセージを前記ＵＭＴＳ無線ネットワークコントローラへ送信することによって前記ＧＳＭ基地局コントローラからの前記着信ページング要求の受信に応答することを特徴とする請求項１に記載のモバイル端末。
【請求項８】
前記コントローラは、さらに、
更新した前記ＵＭＴＳセルデータを取得して格納することによって、前記ＧＳＭ基地局コントローラから受信した着信ページング要求がない間に、前記選択したＵＭＴＳセルへの登録が完了した後に閾値時間の満了に応答することを特徴とする請求項１に記載のモバイル端末。
【請求項９】
前記コントローラは、さらに、
前記更新した前記ＵＭＴＳセルデータを格納した一部として前記選択したＵＭＴＳセルの前記制御チャネルに対する更新した同期データを取得して格納することによって、前記ＧＳＭ基地局コントローラから受信した着信ページング要求がない間に、前記選択したＵＭＴＳセルへの登録が完了した後に閾値時間の満了に応答することを特徴とする請求項８に記載のモバイル端末。
【請求項１０】
前記コントローラは、さらに、
更新したＵＭＴＳセルデータを取得して格納することによって前記ＧＳＭトランシーバと前記基地局コントローラとの間のタイミング同期時の少なくとも閾値の変化の観察に応答し、
前記コントローラは、さらに、
前記更新した前記ＵＭＴＳセルデータを格納した一部として前記選択したＵＭＴＳセルの前記制御チャネルに対する更新した同期データを取得して格納することによって前記ＧＳＭトランシーバと前記基地局コントローラとの間のタイミング同期時の少なくとも閾値の変化の観察に応答することを特徴とする請求項１に記載のモバイル端末。
【請求項１１】
前記コントローラは、さらに、
更新したＵＭＴＳセルデータを取得して格納することによってＧＳＭセルの再選択処理の開始に応答することを特徴とする請求項１に記載のモバイル端末。
【請求項１２】
前記コントローラは、さらに、
ＧＳＭ基地局コントローラからの着信ページング要求に対するＧＳＭ制御チャネルを監視する旨を、前記ＵＭＴＳトランシーバを介して前記ＵＭＴＳコアネットワークに通知することによって、前記選択したＵＭＴＳセルへの登録の完了に応答することを特徴とする請求項１に記載のモバイル端末。
【国際調査報告】
2012506169.tif 000007
2012506169.tif 000008
2012506169.tif 000009